(57)【特許請求の範囲】
【請求項１】
送信側端末および受信側端末と、前記送信側端末および前記受信側端末と通信可能なサーバとを備え、表示媒体に表示された情報コードを用いて前記受信側端末に所定の情報を伝達する情報伝達システムであって、
前記情報コードには、固有の識別情報が記録されており、
前記送信側端末は、
前記受信側端末を送信先として選択する選択手段と、
前記所定の情報を入力するための入力手段と、
前記情報コードを撮像する送信側撮像手段と、
前記送信側撮像手段の撮像に応じて取得された前記固有の識別情報と、前記選択手段により選択された送信先に関する送信先情報と、前記入力手段により入力された前記所定の情報とを前記サーバに送信する送信側送信手段と、
を備え、
前記受信側端末は、
前記情報コードを撮像する受信側撮像手段と、
当該受信側端末を特定する受信側端末情報を、前記受信側撮像手段にて前記情報コードが撮像された画像データまたは当該画像データから読み取られた前記固有の識別情報とともに前記サーバに送信する受信側送信手段と、
前記受信側送信手段による送信に応じて前記サーバから受信した前記所定の情報に基づく制御を行う制御手段と、
を備え、
前記サーバは、
前記送信側端末から受信した前記固有の識別情報と前記送信先情報と前記所定の情報とが関連付けて記憶される記憶手段と、
前記受信側端末から受信した情報から得られる前記固有の識別情報と前記受信側端末情報に対応する前記送信先情報とが前記記憶手段に記憶されている伝達許可状態であるか否かについて判定する判定手段と、
前記判定手段により前記伝達許可状態であると判定されると、前記受信した前記受信側端末情報に対応する前記送信先情報に関連付けられて前記記憶手段に記憶される前記所定の情報を前記受信側端末に送信し、前記判定手段により前記伝達許可状態でないと判定されると、前記所定の情報と異なる情報を前記受信側端末に送信するサーバ側送信手段と、
を備えることを特徴とする情報伝達システム。
【請求項２】
前記選択手段は、複数の受信側端末を送信先として選択可能であり、
前記送信側送信手段は、前記送信側撮像手段の撮像に応じて取得された前記固有の識別情報と、前記選択手段により選択された複数の送信先に関する複数の送信先情報と、前記入力手段により入力された前記所定の情報とを前記サーバに送信し、
前記記憶手段には、前記送信側送信手段から受信した前記固有の識別情報と前記複数の送信先情報と前記所定の情報とが関連付けて記憶されることを特徴とする請求項１に記載の情報伝達システム。
【請求項３】
前記選択手段は、複数の受信側端末を送信先として選択可能であり、
前記入力手段は、前記選択手段により選択された送信先ごとに前記所定の情報を入力可能であり、
前記送信側送信手段は、前記送信側撮像手段の撮像に応じて取得された前記固有の識別情報と、前記選択手段により選択された複数の送信先に関する複数の送信先情報と、前記入力手段により前記送信先ごとにそれぞれ入力された複数の前記所定の情報とを、前記サーバに送信し、
前記記憶手段には、前記送信側送信手段から受信した前記固有の識別情報と前記複数の送信先情報と前記複数の所定の情報とが関連付けて記憶されることを特徴とする請求項１に記載の情報伝達システム。
【請求項４】
前記送信側送信手段は、前記固有の識別情報、前記送信先情報および前記所定の情報に加えて、当該送信側端末を特定する送信側端末情報を、前記サーバに送信し、
前記記憶手段には、前記送信側送信手段から受信した前記固有の識別情報と前記送信先情報と前記所定の情報とに加えて前記送信側端末情報が関連付けて記憶され、
前記サーバ側送信手段は、前記判定手段により前記伝達許可状態であると判定されると、前記受信した前記受信側端末情報に対応する前記送信先情報に関連付けられて前記記憶手段に記憶される全てまたは一部の前記所定の情報を、関連する前記送信側端末情報とともに前記受信側端末に送信することを特徴とする請求項１に記載の情報伝達システム。
【請求項５】
前記サーバは、前記受信側端末からの指示または通知に応じて、当該受信側端末の前記受信側端末情報に対応して前記記憶手段に記憶されている情報を消去する消去手段を備えることを特徴とする請求項１〜４のいずれか一項に記載の情報伝達システム。
【請求項６】
前記情報コードは、公開領域と、暗号化キーに基づいて暗号化された暗号データが記録される非公開領域とを備えており、
前記固有の識別情報は、前記非公開領域に記録されていることを特徴とする請求項１〜５のいずれか一項に記載の情報伝達システム。
【発明の詳細な説明】
【技術分野】
【０００１】
本発明は、情報コードを利用して情報を伝達する情報伝達システムに関するものである。
【背景技術】
【０００２】
従来、情報コードを利用して情報を伝達する情報伝達システムに関する技術として、例えば、下記特許文献１に開示されるメッセージカードシステムが知られている。このメッセージカードシステムでは、オリジナルメッセージの登録用の２次元コードが付された送り主用メッセージカードと、オリジナルメッセージの受取用の２次元コードが付された受取人用メッセージカードとがセットになっている。送り主は、登録用の２次元コードから携帯電話機を用いて読み取ったＵＲＬを利用してサーバにアクセスして、オリジナルメッセージをデータベースに登録する。そして、受取人は、送り主から贈られた受取人用メッセージカードに付された受取用の２次元コードから携帯電話機を用いて読み取ったＵＲＬを利用してサーバにアクセスすることで、オリジナルメッセージを読むことができる。
【先行技術文献】
【特許文献】
【０００３】
【特許文献１】特開２０１０−２５０６２２号公報
【発明の概要】
【発明が解決しようとする課題】
【０００４】
しかしながら、上記特許文献１に開示される構成では、受取人と異なる第三者であっても、受取人用メッセージカードに付された受取用の２次元コードを読み取ることで、オリジナルメッセージを読むことができる。そうすると、第三者に読まれたくないオリジナルメッセージがサーバに登録されていると、第三者を介さずに受取人用メッセージカードを受取人に直接渡す必要があり、利便性が悪いという問題が生じる。また、受取人用メッセージカードを受取人に渡した後であっても、その受取人用メッセージカードの受取用の２次元コードが第三者によって読み取り可能な状態になると、オリジナルメッセージが第三者によって読まれてしまう可能性がある。
【０００５】
本発明は、上述した課題を解決するためになされたものであり、その目的とするところは、表示媒体に表示された情報コードを利用した情報伝達であっても第三者への情報漏洩を防止し得る情報伝達システムを提供することにある。
【課題を解決するための手段】
【０００６】
上記目的を達成するため、特許請求の範囲の請求項１に記載の発明は、送信側端末（２０）および受信側端末（３０）と、前記送信側端末および前記受信側端末と通信可能なサーバ（１１）とを備え、表示媒体（Ｍ）に表示された情報コード（Ｃ）を用いて前記受信側端末に所定の情報を伝達する情報伝達システム（１０）であって、前記情報コードには、固有の識別情報が記録されており、前記送信側端末は、前記受信側端末を送信先として選択する選択手段（２１，２４）と、前記所定の情報を入力するための入力手段（２１，２４）と、前記情報コードを撮像する送信側撮像手段（２２）と、前記送信側撮像手段の撮像に応じて取得された前記固有の識別情報と、前記選択手段により選択された送信先に関する送信先情報と、前記入力手段により入力された前記所定の情報とを前記サーバに送信する送信側送信手段（２６）と、を備え、前記受信側端末は、前記情報コードを撮像する受信側撮像手段（３２）と、当該受信側端末を特定する受信側端末情報を、前記受信側撮像手段にて前記情報コードが撮像された画像データまたは当該画像データから読み取られた前記固有の識別情報とともに前記サーバに送信する受信側送信手段（３６）と、前記受信側送信手段による送信に応じて前記サーバから受信した前記所定の情報に基づく制御を行う制御手段（３１，３３）と、を備え、前記サーバは、前記送信側端末から受信した前記固有の識別情報と前記送信先情報と前記所定の情報とが関連付けて記憶される記憶手段（１４）と、前記受信側端末から受信した情報から得られる前記固有の識別情報と前記受信側端末情報に対応する前記送信先情報とが前記記憶手段に記憶されている伝達許可状態であるか否かについて判定する判定手段（１２）と、前記判定手段により前記伝達許可状態であると判定されると、前記受信した前記受信側端末情報に対応する前記送信先情報に関連付けられて前記記憶手段に記憶される前記所定の情報を前記受信側端末に送信し、前記判定手段により前記伝達許可状態でないと判定されると、前記所定の情報と異なる情報を前記受信側端末に送信するサーバ側送信手段（１６）と、を備えることを特徴とする。
なお、上記各括弧内の符号は、後述する実施形態に記載の具体的手段との対応関係を示すものである。
【発明の効果】
【０００７】
請求項１の発明では、送信側端末にて、送信側撮像手段の撮像に応じて取得された固有の識別情報と、選択手段により選択された送信先に関する送信先情報と、入力手段により入力された所定の情報とが、送信側送信手段によりサーバに送信される。また、受信側端末にて、受信側端末情報が受信側撮像手段にて撮像された画像データまたは当該画像データから読み取られた固有の識別情報とともに受信側送信手段によりサーバに送信され、この送信に応じてサーバから受信した所定の情報に基づく制御が制御手段により行われる。そして、サーバにて、送信側端末から受信した固有の識別情報と送信先情報と所定の情報とが関連付けて記憶手段に記憶され、受信側端末から受信側端末情報等を受信した際に、判定手段により伝達許可状態であると判定されると、受信した受信側端末情報に対応する送信先情報に関連付けられて記憶手段に記憶される所定の情報が受信側端末に送信され、判定手段により伝達許可状態でないと判定されると、所定の情報と異なる情報が受信側端末に送信される。
【０００８】
これにより、送信先と異なる第三者が受信側端末と異なる端末を用いて表示媒体に表示された情報コードを読み取っても、適切な受信側端末情報をサーバに送信できないので、サーバでは判定手段により伝達許可状態であると判定されことはない。したがって、第三者の端末では記憶手段に記憶されている所定の情報をサーバから受信することができないので、表示媒体に表示された情報コードを利用した情報伝達であっても第三者への情報漏洩を防止することができる。
【０００９】
請求項２の発明では、送信側端末にて、送信側撮像手段の撮像に応じて取得された固有の識別情報と、選択手段により選択された複数の送信先に関する複数の送信先情報と、入力手段により入力された所定の情報とが、送信側送信手段によりサーバに送信される。そして、サーバにて、送信側送信手段から受信した固有の識別情報と複数の送信先情報と所定の情報とが関連付けられて記憶手段に記憶される。
【００１０】
このため、選択手段により選択された複数の送信先にて、記憶手段に記憶されている所定の情報をそれぞれサーバから受信することができる。これにより、第三者への情報漏洩を防止しつつ、複数の送信先に対して同じ情報を伝達することができる。
【００１１】
請求項３の発明では、送信側端末にて、送信側撮像手段の撮像に応じて取得された固有の識別情報と、選択手段により選択された複数の送信先に関する複数の送信先情報と、入力手段により送信先ごとにそれぞれ入力された複数の所定の情報とが、送信側送信手段によりサーバに送信される。そして、サーバにて、送信側送信手段から受信した固有の識別情報と複数の送信先情報と複数の所定の情報とが関連付けられて記憶手段に記憶される。
【００１２】
これにより、サーバの記憶手段には、１つの固有の識別情報に対して、一対の送信先情報および所定の情報が複数組関連付けられて記憶されることとなるので、１つの情報コードを利用して情報を伝達する場合でも、送信先ごとに異なる情報を伝達することができる。
【００１３】
請求項４の発明では、送信側端末にて、固有の識別情報、送信先情報および所定の情報に加えて送信側端末情報が送信側送信手段によりサーバに送信される。そして、サーバにて、判定手段により伝達許可状態であると判定されると、受信した受信側端末情報に対応する送信先情報に関連付けられて記憶手段に記憶される全てまたは一部の所定の情報が、サーバ側送信手段により関連する送信側端末情報とともに受信側端末に送信される。
【００１４】
このため、１つの情報コードを利用して複数の送信側（送信元）が送信側端末を用いて個別に所定の情報をサーバに記憶する場合でも、受信側（送信先）では、全てまたは一部の所定の情報を受信することができる。これにより、１つの情報コードを利用して複数の送信元が１人の送信先に対してそれぞれ所定の情報を伝達することができる。特に、送信側端末情報も送信されるため、どの送信元がどの情報を伝達しているかを容易に把握することができる。
【００１５】
請求項５の発明では、サーバは、受信側端末からの指示または通知に応じて、当該受信側端末の受信側端末情報に対応して記憶手段に記憶されている情報を消去する消去手段を備えている。
【００１６】
これにより、所定の情報に基づく処理を終えたことで不要となった所定の情報を受信側端末からの消去指示や既読通知に応じて記憶手段から消去できるので、所定の情報等の秘匿性を向上させ、第三者への情報漏洩を確実に防止することができる。
【００１７】
請求項６の発明では、情報コードは、公開領域と、暗号化キーに基づいて暗号化された暗号データが記録される非公開領域とを備えており、固有の識別情報は、非公開領域に記録されている。
【００１８】
このように、固有の識別情報を情報コードの非公開領域に記録することで、暗号化キーを有しない端末では固有の識別情報を読み取ることができないので、固有の識別情報の秘匿性を向上させ、第三者への情報漏洩を確実に防止することができる。
【図面の簡単な説明】
【００１９】
【図１】第１実施形態に係る情報伝達システムを概念的に説明する説明図である。
【図２】図１の送信側端末を概略的に例示するブロック図である。
【図３】図１の受信側端末を概略的に例示するブロック図である。
【図４】図１のサーバを概略的に例示するブロック図である。
【図５】第１実施形態において送信側端末の制御部にて行われる秘匿情報送信処理の流れを例示するフローチャートである。
【図６】第１実施形態において受信側端末の制御部にて行われる秘匿情報受信処理の流れを例示するフローチャートである。
【図７】第１実施形態においてサーバの制御部にて行われる登録情報送信処理の流れを例示するフローチャートである。
【図８】第３実施形態において送信側端末の制御部にて行われる秘匿情報送信処理の流れを例示するフローチャートである。
【図９】第５実施形態において受信側端末の制御部にて行われる秘匿情報受信処理の流れを例示するフローチャートである。
【発明を実施するための形態】
【００２０】
［第１実施形態］
以下、本発明に係る情報伝達システムを具現化した第１実施形態について、図面を参照して説明する。図１は、第１実施形態に係る情報伝達システム１０を概念的に説明する説明図である。
本実施形態に係る情報伝達システム１０は、情報伝達用の表示媒体Ｍに表示された情報コードＣを用いて、送信側端末２０からサーバ１１を介して受信側端末３０に所定の情報を伝達するシステムである。より詳細には、情報伝達システム１０は、送信側端末２０の所有者（送信者）が情報コードＣを用いてサーバ１１に登録したオリジナルメッセージ等の第三者に秘匿したい所定の情報（以下、秘匿情報ともいう）を、受信側端末３０の所有者（受信者）がその情報コードＣを用いて取得できるように構成されている。
【００２１】
本実施形態では、情報伝達用の表示媒体Ｍに表示される情報コードＣとして、公開領域と、暗号化キーに基づいて暗号化された暗号データが記録された非公開領域とを有する一部非公開コードが採用されている。本実施形態における情報コードＣでは、公開領域には公開可能な情報が記録されており、非公開領域にはシリアル番号等、他の情報コードと識別するための固有の識別情報が記録されている。すなわち、暗号化キーを有しない通常の情報コード読取装置では、公開領域に記録される公開情報のみ光学的に読み取ることができ、非公開領域に記録される固有の識別情報を読み取ることができない。
【００２２】
まず、送信側端末２０および受信側端末３０の構成について、図２および図３を参照して説明する。なお、図２は、図１の送信側端末２０を概略的に例示するブロック図である。図３は、図１の受信側端末３０を概略的に例示するブロック図である。
送信側端末２０は、情報処理機能を有する携帯型通信装置（例えば携帯電話機等）として構成されるものであり、図２に示すように、ＣＰＵからなる制御部２１、受光センサ（例えば、Ｃ−ＭＯＳエリアセンサ、ＣＣＤエリアセンサ等）を備えたカメラとして構成される撮像部２２、液晶表示器などからなる表示部２３、各種操作キー（図示略）によって構成される操作部２４、ＲＯＭ，ＲＡＭ、不揮発性メモリなどからなる記憶部２５、インターネット等の通信網を介してサーバ１１等の外部機器と通信可能な通信インターフェースとして構成される通信部２６などを備えている。
【００２３】
上述のように構成される送信側端末２０の記憶部２５には、秘匿情報送信処理に関するアプリケーションプログラムが制御部２１により実行可能に予め格納されており、このアプリケーションプログラムが実行されることで、受信者に対して送信したい秘匿情報をサーバ１１に登録することができる。この秘匿情報送信処理の詳細な説明については後述する。
【００２４】
また、図３に示すように、受信側端末３０は、上記送信側端末２０と同様に機能する、制御部３１、撮像部３２、表示部３３、操作部３４、記憶部３５および通信部３６などを備えるように構成されている。そして、この受信側端末３０の記憶部３５には、秘匿情報受信処理に関するアプリケーションプログラムが制御部３１により実行可能に予め格納されており、このアプリケーションプログラムが実行されることで、受信者は、送信者がサーバ１１に登録した秘匿情報を取得することができる。この秘匿情報受信処理の詳細な説明については後述する。
【００２５】
次に、サーバ１１の構成について、図４を参照して説明する。なお、図４は、図１のサーバ１１を概略的に例示するブロック図である。
サーバ１１は、例えばコンピュータとして構成され、図４に示すように、ＣＰＵ等からなる制御部１２、液晶モニタ等として構成される表示部１３、ＲＯＭ、ＲＡＭ、ＨＤＤ等からなる記憶部１４、マウスやキーボード等として構成される操作部１５、インターネット等の通信網を介して送信側端末２０や受信側端末３０等の外部機器と通信可能な通信インターフェースとして構成される通信部１６などを備えている。なお、記憶部１４は、「記憶手段」の一例に相当し、通信部１６は、「サーバ側送信手段」の一例に相当し得る。
【００２６】
このサーバ１１の記憶部１４には、情報コードＣをデコードするためのデコード処理に関するアプリケーションプログラムが制御部１２により実行可能に予め格納されている。また、記憶部１４には、情報コードＣの非公開領域に記録された情報を解読するための暗号化キーが予め記憶されている。このため、サーバ１１は、送信側端末２０等から後述するコード画像データを受信すると、このコード画像データに含まれる情報コードを上記暗号化キーを用いたデコード方法によりデコードし、そのデコード結果等をその端末に対して送信するデコードサーバとして機能する。
【００２７】
また、このサーバ１１の記憶部１４には、送信側端末２０から受信した情報を登録する登録処理に関するアプリケーションプログラムと正当な要求に応じて登録済の情報を送信する登録情報送信処理に関するアプリケーションプログラムとが制御部１２により実行可能に予め格納されている。このため、サーバ１１は、上記登録処理により送信側端末２０から受信した秘匿情報等を記憶部１４のデータベースに登録し、上記登録情報送信処理により正当な要求を行う受信側端末３０に対して登録済の秘匿情報等を送信するメッセージサーバとして機能する。
【００２８】
次に、上述のように構成される情報伝達システム１０を利用して秘匿情報を送信側端末２０から受信側端末３０に送信する場合について、図５〜図７を参照して説明する。なお、図５は、第１実施形態において送信側端末２０の制御部２１にて行われる秘匿情報送信処理の流れを例示するフローチャートである。図６は、第１実施形態において受信側端末３０の制御部３１にて行われる秘匿情報受信処理の流れを例示するフローチャートである。図７は、第１実施形態においてサーバ１１の制御部１２にて行われる登録情報送信処理の流れを例示するフローチャートである。
【００２９】
以下の説明では、情報伝達用の表示媒体Ｍとして誕生日カードを購入等により入手した送信者が、秘匿情報としてオリジナルメッセージを、誕生日カードに表示された情報コードＣを利用して受信者に伝達する場合について説明する。この場合、情報コードＣの公開領域には、「誕生日おめでとう」等の固定メッセージが記録されているものとする。また、送信者および受信者は、他の複数の利用者とともに所定のグループに属しており、送信先を特定するための各利用者のユーザＩＤが予め記憶部２５に記憶されているものとする。
【００３０】
（秘匿情報送信処理）
まず、送信者が送信側端末２０を用いて秘匿情報をサーバ１１に登録する際に、送信側端末２０の制御部２１にて行われる秘匿情報送信処理について、図５のフローチャートを参照して説明する。
操作部２４に対する所定の操作によりアプリケーションプログラムが実行されて秘匿情報送信処理が開始されると、図５のステップＳ１０１に示す送信先選択処理がなされる。この処理は、上述した所定のグループに属するいずれかの利用者を送信先として選択するためのものであり、操作部２４の操作に応じて送信先として選択された受信者のユーザＩＤが送信先ＩＤとして設定される。なお、送信先を選択するための操作としては、例えば、表示部１３に画面表示されるプルダウン等による選択方法を採用することができる。また、上記送信先選択処理を実行する制御部２１および操作部２４は、「選択手段」の一例に相当し、送信先ＩＤは、「送信先情報」の一例に相当し得る。
【００３１】
次に、ステップＳ１０３に示す秘匿情報入力処理がなされる。この処理では、送信者による操作部２４の操作等に応じてオリジナルメッセージが秘匿情報として入力される。なお、上記秘匿情報入力処理を実行する制御部２１および操作部２４は、「入力手段」の一例に相当し得る。
【００３２】
続いて、ステップＳ１０５に示す撮像処理がなされ、送信者により誕生日カードの情報コードＣに対して撮像部２２が向けられた状態で操作部２４に対して撮像用の操作がなされることで、情報コードＣを含めた画像データがコード画像データとして生成される。なお、上記撮像処理を実行する制御部２１および撮像部２２は、「送信側撮像手段」の一例に相当し得る。
【００３３】
上述のようにコード画像データが生成されると、ステップＳ１０７に示すサーバデコード処理がなされる。この処理では、サーバ１１に対して上述のように生成されたコード画像データを送信することで、サーバ１１から情報コードＣのデコード結果である固有の識別情報かデコード失敗に関する情報が受信される。情報コードＣを適切に撮像できていないためにデコードが失敗していると、ステップＳ１０９にてＮｏと判定されて、再度ステップＳ１０５からの処理がなされる。
【００３４】
一方、サーバ１１でのデコードが成功していることからサーバ１１から固有の識別情報が受信されると（Ｓ１０９でＹｅｓ）、ステップＳ１１１に示す送信処理がなされる。この処理では、サーバ１１から取得した固有の識別情報に加えて、ステップＳ１０１にて選択された送信先ＩＤと、ステップＳ１０３にて入力された秘匿情報とが、通信部２６によりサーバ１１に送信される。なお、上記送信処理を実行する制御部２１および通信部２６は、「送信側送信手段」の一例に相当し得る。
【００３５】
サーバ１１では、送信側端末２０から固有の識別情報、送信先ＩＤおよび秘匿情報が受信されることで、制御部１２により上記登録処理がなされ、受信した固有の識別情報、送信先ＩＤおよび秘匿情報が関連付けられて記憶部１４のデータベースに登録される。
【００３６】
（秘匿情報受信処理）
次に、送信者から誕生日カード（表示媒体Ｍ）を受け取った受信者が受信側端末３０を用いて情報コードＣを撮像した際に、制御部３１にて行われる秘匿情報受信処理について、図６のフローチャートを参照して説明する。
操作部３４に対する所定の操作によりアプリケーションプログラムが実行されて秘匿情報受信処理が開始されると、図６のステップＳ２０１に示す撮像処理がなされ、受信者により誕生日カードの情報コードＣに対して撮像部３２が向けられた状態で操作部３４に対して撮像用の操作がなされることで、情報コードＣを含めた画像がコード画像データとして生成される。なお、上記撮像処理を実行する制御部３１および撮像部３２は、「受信側撮像手段」の一例に相当し得る。
【００３７】
上述のようにコード画像データが生成されると、ステップＳ２０３に示す画像データ等送信処理がなされ、上述のように生成されたコード画像データと受信者のユーザＩＤとが、通信部３６によりサーバ１１に対して送信される。なお、上記画像データ等送信処理を実行する制御部３１および通信部３６は、「受信側送信手段」の一例に相当し、受信者のユーザＩＤは、「受信側端末情報」の一例に相当し得る。
【００３８】
上記画像データ等送信処理によるユーザＩＤ等の送信に応じてサーバ１１にて後述する登録情報送信処理が実行されることでサーバ１１からデータを受信すると、ステップＳ２０５にて受信データに秘匿情報が含まれているか否かについて判定される。
【００３９】
受信者がその受信側端末３０を用いて情報コードＣを撮像していることから受信データに秘匿情報が含まれていると（Ｓ２０５でＹｅｓ）、ステップＳ２０７に示す秘匿情報表示処理がなされる。この処理では、秘匿情報であるオリジナルメッセージが表示部３３に表示される。これにより、受信者は、送信者からのオリジナルメッセージを見ることができる。なお、上記秘匿情報表示処理を実行する制御部３１および表示部３３は、「制御手段」の一例に相当し得る。
【００４０】
一方、上記所定のグループの利用者のうち受信者と異なる利用者が誕生日カードの情報コードＣを撮像している場合には、後述するように受信データに秘匿情報が含まれないため（Ｓ２０５でＮｏ）、ステップＳ２０９に示す伝達不可状態表示処理がなされる。この処理では、サーバ１１から後述するように受信した伝達不可情報に基づいて、秘匿情報を伝達することが不可である状態を示す情報が表示部３３に表示され、秘匿情報が表示されることはない。なお、上記ステップＳ２０５に示す判定処理にてＮｏと判定される場合には、上記伝達不可状態表示処理において、秘匿情報を伝達することが不可である状態を示す情報を表示することに限らず、単に秘匿情報と異なる情報を表示等するようにしてもよい。
【００４１】
また、第三者が誕生日カードの情報コードＣを暗号化キーを有しない通常の情報コード読取装置を用いて撮像している場合には、公開情報のみが読み取られる。この場合には、固有の識別情報が読み取られることもなく、秘匿情報が表示されることもない。
【００４２】
（登録情報送信処理）
次に、サーバ１１において受信側端末３０からコード画像データおよび受信者のユーザＩＤを受信することで制御部１２にて行われる登録情報送信処理について、図７のフローチャートを参照して説明する。
送信側端末２０や受信側端末３０などの端末から画像データを含めたデータを受信すると、図７のステップＳ３０１に示すデコード処理がなされる。この処理では、受信した画像データに含まれる情報コードに対して記憶部１４に記憶されている上記暗号化キーを用いたデコード方法で解読するための処理がなされる。このデコード処理が失敗すると（Ｓ３０３でＮｏ）、ステップＳ３０５に示す報知処理がなされ、デコードが失敗した旨がデータを送信した端末に対して送信されて報知される。
【００４３】
一方、受信者が受信側端末３０を用いて誕生日カードの情報コードＣを撮像していることからデコードが成功して固有の識別情報が取得されると（Ｓ３０３でＹｅｓ）、ステップＳ３０７に示す判定がなされ、受信データにユーザＩＤが含まれているか否かについて判定される。ここで、受信データにユーザＩＤが含まれていない場合には（Ｓ３０７でＮｏ）、ステップＳ３０９に示すデコード結果送信処理がなされ、デコード結果を含めた情報が上記画像データを送信した端末に対して送信される。例えば、上記ステップＳ１０７に示すサーバデコード処理により送信側端末２０からデコード可能なコード画像データが送信されている場合には、受信データにユーザＩＤが含まれていないため（Ｓ３０７でＮｏ）、上記デコード結果送信処理によりデコード結果として上記固有の識別情報を含めた情報が送信側端末２０に送信される。
【００４４】
一方、受信側端末３０から上述のように受信者のユーザＩＤとコード画像データとを受信している場合には（Ｓ３０７でＹｅｓ）、ステップＳ３１１に示す判定処理がなされ、受信したユーザＩＤと上記ステップＳ３０１にて取得された固有の識別情報との双方に一致する送信先ＩＤおよび固有の識別情報が関連して記憶部１４のデータベースに登録されている伝達許可状態であるか否かについて判定される。なお、上記ステップＳ３１１に示す判定処理を実行する制御部１２は、「判定手段」の一例に相当し得る。
【００４５】
ここで、受信したユーザＩＤと取得された固有の識別情報との双方に一致する送信先ＩＤおよび固有の識別情報がデータベースに関連して登録されていることから伝達許可状態であると判定されると（Ｓ３１１でＹｅｓ）、ステップＳ３１３に示す秘匿情報送信処理がなされる。この処理では、受信したユーザＩＤに一致する送信先ＩＤに対応してデータベースに登録されている秘匿情報が、その受信側端末３０に対して送信される。
【００４６】
一方、上記所定のグループの利用者のうち受信者と異なる利用者が誕生日カードの情報コードＣを撮像している場合していることからそのユーザＩＤをコード画像データとともに受信している場合には、受信したユーザＩＤに一致する送信先ＩＤが登録されていないため、伝達許可状態でないとして、ステップＳ３１１でＮｏと判定される。この場合には、ステップＳ３１５に示す伝達不可情報送信処理がなされ、秘匿情報と異なる情報として、秘匿情報を伝達することが不可であることを示す伝達不可情報がその受信側端末３０に対して送信される。
【００４７】
以上説明したように、本実施形態に係る情報伝達システム１０では、送信側端末２０にて、情報コードＣの撮像に応じて取得された固有の識別情報と、上記送信先選択処理（Ｓ１０１）により選択された送信先ＩＤ（送信先情報）と、上記秘匿情報入力処理（Ｓ１０３）により入力された秘匿情報（所定の情報）とが、上記送信処理（Ｓ１１１）によりサーバ１１に送信される。また、受信側端末３０にて、ユーザＩＤ（受信側端末情報）がコード画像データとともに上記画像データ等送信処理（Ｓ２０３）によりサーバ１１に送信され、この送信に応じてサーバ１１から受信した秘匿情報が表示部３３に表示される。そして、サーバ１１にて、送信側端末２０から受信した固有の識別情報と送信先ＩＤと秘匿情報とが関連付けて記憶部１４のデータベースに記憶され、受信側端末３０からユーザＩＤ等を受信した際に、伝達許可状態であると判定されると（Ｓ３１１でＹｅｓ）、受信したユーザＩＤに対応する送信先ＩＤに関連付けられて記憶部１４のデータベースに記憶される秘匿情報が受信側端末３０に送信され、伝達許可状態でないと判定されると（Ｓ３１１でＮｏ）、伝達不可情報が受信側端末３０に送信される。
【００４８】
これにより、送信先と異なる第三者が受信側端末３０と異なる端末を用いて表示媒体Ｍに表示された情報コードＣを読み取っても、適切なユーザＩＤをサーバ１１に送信できないので、サーバ１１では伝達許可状態であると判定されことはない。したがって、第三者の端末では記憶部１４のデータベースに記憶されている秘匿情報をサーバ１１から受信することができないので、表示媒体Ｍに表示された情報コードＣを利用した情報伝達であっても第三者への情報漏洩を防止することができる。
【００４９】
例えば、上述したように情報伝達用の表示媒体Ｍとして情報コードＣが表示された誕生日カードを採用する場合には、物理的な用紙に贈りたい相手だけが読めるオリジナルメッセージを後からでも添えることができる。また、情報伝達用の表示媒体Ｍの主旨に合わせて、情報コードＣの公開領域に「入学おめでとう」、「ご結婚おめでとうございます」、「引越ししました」等の固定メッセージが記録される場合でも、上述のようにサーバ１１にオリジナルメッセージを登録することで、物理的な用紙に贈りたい相手だけが読めるオリジナルメッセージを添えることができる。
【００５０】
特に、情報伝達用の表示媒体Ｍに表示される情報コードＣは、公開領域と、暗号化キーに基づいて暗号化された暗号データが記録される非公開領域とを備えており、固有の識別情報は、非公開領域に記録されている。
【００５１】
このように、固有の識別情報を情報コードＣの非公開領域に記録することで、暗号化キーを有しない端末では固有の識別情報を読み取ることができないので、固有の識別情報の秘匿性を向上させ、第三者への情報漏洩を確実に防止することができる。
【００５２】
なお、本実施形態の変形例として、送信側端末２０および受信側端末３０は、暗号化キーが予め記憶部等に記憶されていることで、情報コードＣを上記暗号化キーを用いたデコード方法によりデコードして固有の識別情報を直接取得可能に構成されてもよい。この構成は後述する他の実施形態にも適用することができる。この場合には、サーバ１１に対して送信側端末２０によりコード画像データが送信されることなく直接固有の識別情報が送信先ＩＤおよび秘匿情報とともに送信される。また、サーバ１１に対して受信側端末３０により直接固有の識別情報が受信者のユーザＩＤとともに送信される。そして、サーバ１１により、記憶部１４に記憶される送信先ＩＤに一致するユーザＩＤが対応する固有の識別情報とともに受信された場合に、その受信側端末３０に対して対応する秘匿情報が送信される。
【００５３】
［第２実施形態］
次に、本発明の第２実施形態に係る情報伝達システムについて、以下に説明する。
本第２実施形態では、１人の送信者が複数の受信者に対して同じ秘匿情報を伝達する点が主に上記第１実施形態と異なる。このため、第１実施形態と実質的に同様の構成部分には同一符号を付して説明を省略する。
【００５４】
情報伝達用の表示媒体Ｍが用いられる環境などによっては、１つの情報コードＣを用いて、秘匿情報を、１人の受信者にのみ伝達したい場合だけでなく、上記所定のグループに属する利用者のうちの数人に伝達したい場合もある。そこで、本実施形態に係る情報伝達システムでは、１人の送信者が複数の受信者に対して同じ秘匿情報を伝達可能となるように、送信側端末２０の制御部２１にて秘匿情報送信処理が実行される。
【００５５】
具体的には、上記ステップＳ１０１における送信先選択処理において１または２以上の送信先（送信先ＩＤ）が選択され、上記ステップＳ１１１における送信処理において選択された１または２以上の送信先ＩＤが固有の識別情報および秘匿情報とともにサーバ１１に送信される。そして、サーバ１１にて、送信側端末２０から受信した１または２以上の送信先ＩＤと固有の識別情報および秘匿情報とが関連付けられて記憶部１４に記憶される。
【００５６】
このため、上記送信先選択処理により選択された１または２以上の送信先となる受信者は、サーバ１１の記憶部１４に記憶されている秘匿情報をそれぞれサーバ１１から受信することができる。これにより、第三者への情報漏洩を防止しつつ、１つの表示媒体Ｍを用いて複数の送信先に対して同じ情報を伝達することができる。
【００５７】
［第３実施形態］
次に、本発明の第３実施形態に係る情報伝達システムについて、図８を用いて説明する。なお、図８は、第３実施形態において送信側端末２０の制御部２１にて行われる秘匿情報送信処理の流れを例示するフローチャートである。
本第３実施形態では、１人の送信者が複数の受信者に対してそれぞれ異なる秘匿情報を伝達する点が主に上記第１実施形態と異なる。このため、第１実施形態と実質的に同様の構成部分には同一符号を付して説明を省略する。
【００５８】
情報伝達用の表示媒体Ｍが用いられる環境などによっては、１人の受信者にのみ秘匿情報を伝達したい場合だけでなく、上記所定のグループに属する利用者のうちの数人に対してそれぞれ異なる情報を伝達したい場合もある。例えば、情報コードＣが表示される名刺を情報伝達用の表示媒体Ｍとするとき、名刺を手渡した人毎に情報コードＣから読み取れる内容を変更したい場合がある。
【００５９】
そこで、本実施形態に係る情報伝達システム１０では、１人の送信者が複数の受信者に対してそれぞれ異なる秘匿情報を伝達可能となるように、送信側端末２０の制御部２１にて秘匿情報送信処理が実行される。
【００６０】
以下、本実施形態における秘匿情報送信処理について、図８のフローチャートを参照して説明する。
操作部２４に対する所定の操作によりアプリケーションプログラムが実行されて秘匿情報送信処理が開始されると、図８のステップＳ１０１に示す送信先選択処理がなされ、操作部２４の操作に応じて送信先として選択された１つの受信者のユーザＩＤが送信先ＩＤとして設定される。続いて、ステップＳ１０３に示す秘匿情報入力処理がなされ、その受信者に伝達したい秘匿情報が入力される。
【００６１】
次に、ステップＳ１０４に示す判定処理がなされ、送信先選択完了であるか否かについて判定され、操作部２４の操作に応じて送信先選択完了でないと判定されると（Ｓ１０４でＮｏ）、再度上記ステップＳ１０１からの処理が繰り返される。すなわち、この繰り返し処理により、複数の送信先の選択とその送信先ごとの秘匿情報の入力とを行うことができる。
【００６２】
操作部２４の操作に応じて送信先選択完了であると判定されると（Ｓ１０４でＹｅｓ）、ステップＳ１０５に示す撮像処理にて情報コードＣを含めた画像データがコード画像データとして生成され、そのサーバデコードが成功すると（Ｓ１０９でＹｅｓ）、ステップＳ１１１ａに示す送信処理がなされる。この処理では、複数組の送信先ＩＤおよび秘匿情報と固有の識別情報とが、通信部２６によりサーバ１１に送信される。
【００６３】
サーバ１１では、複数組の送信先ＩＤおよび秘匿情報と固有の識別情報とが受信されることで、制御部１２により上記登録処理がなされ、受信した複数組の送信先ＩＤおよび秘匿情報と固有の識別情報とが関連付けられて記憶部１４のデータベースに登録される。
【００６４】
また、サーバ１１は、上記登録情報送信処理にて伝達許可状態であると判定されたユーザＩＤに対して、そのユーザＩＤに一致する送信先ＩＤと組みになる秘匿情報を、その受信側端末３０に送信する。これにより、送信者が送信先として選択した１人の受信者は、その受信側端末３０により上記第１実施形態と同様に秘匿情報受信処理を行うことで、その受信者のために送信者が入力した秘匿情報を見ることができる。
【００６５】
以上説明したように、本実施形態に係る情報伝達システム１０では、送信側端末２０にて、情報コードＣの撮像に応じて取得された固有の識別情報と、上記送信先選択処理（Ｓ１０１）により選択された複数の送信先ＩＤ（送信先情報）と、上記秘匿情報入力処理（Ｓ１０３）によりにより送信先ごとにそれぞれ入力された複数の秘匿情報（所定の情報）とが、上記送信処理（Ｓ１１１ａ）によりサーバ１１に送信される。そして、サーバ１１にて、送信側端末２０から受信した固有の識別情報と複数の送信先ＩＤと複数の秘匿情報とが関連付けられて記憶部１４に記憶される。
【００６６】
これにより、サーバ１１の記憶部１４には、１つの固有の識別情報に対して、一対の送信先ＩＤおよび秘匿情報が複数組関連付けられて記憶されることとなるので、１つの情報コードＣを利用して情報を伝達する場合でも、送信先ごとに異なる情報を伝達することができる。
【００６７】
例えば、上述したような表示媒体Ｍとして名刺を採用する場合でも、名刺を渡した者（送信者）は、名刺を受取った者のうちの数人（受信者）に対して、それぞれメッセージを伝えることができる。また、名刺を受取った受信者は、自分宛に登録されたメッセージを確認することができる。また、送信者にとっては意図する受信者のみにメッセージを伝え、第三者にはそのメッセージを秘匿することができる。
【００６８】
本実施形態に係る情報伝達用の表示媒体Ｍは、上述した名刺に限らず、クリスマスカードや花束に添えるカード、年賀状などでも採用でき、その場合でも第三者にはそのメッセージを秘匿することができる。
【００６９】
［第４実施形態］
次に、本発明の第４実施形態に係る情報伝達システムについて、以下に説明する。
本第４実施形態では、複数の送信者が１人の受信者に対してそれぞれ異なる秘匿情報を伝達する点が主に上記第１実施形態と異なる。このため、第１実施形態と実質的に同様の構成部分には同一符号を付して説明を省略する。
【００７０】
情報伝達用の表示媒体Ｍが用いられる環境などによっては、１人の受信者にのみ秘匿情報を伝達したい場合だけでなく、上記所定のグループに属する利用者のうちの数人が他の１人に対してそれぞれ異なる情報を伝達したい場合もある。例えば、情報コードＣが表示される寄せ書き用紙を情報伝達用の表示媒体Ｍとするとき、寄せ書き者のそれぞれが寄せ書きのメッセージを第三者に見せずに受信者だけに伝えたい場合がある。
【００７１】
そこで、本実施形態に係る情報伝達システム１０では、複数の送信者が１人の受信者に対してそれぞれ異なる秘匿情報を伝達可能となるように、送信側端末２０にて秘匿情報送信処理がなされ、受信側端末３０にて秘匿情報受信処理がなされ、サーバ１１にて登録処理および登録情報送信処理がなされる。
【００７２】
具体的には、送信側端末２０の制御部２１にて行われる秘匿情報送信処理では、上記第１実施形態と同様に、上記送信先選択処理により送信先ＩＤが選択され、上記秘匿情報入力処理により秘匿情報が入力され、情報コードＣの撮像に応じて固有の識別情報が取得されると、ステップＳ１１１に示す送信処理がなされる。本実施形態では、この処理に応じて、固有の識別情報、送信先ＩＤおよび秘匿情報に加えて、送信側端末２０を特定する送信側端末情報として当該送信側端末２０のユーザＩＤが送信元ＩＤとしてサーバ１１に送信される。
【００７３】
サーバ１１では、送信側端末２０から固有の識別情報、送信先ＩＤ、秘匿情報および送信元ＩＤが受信されることで、制御部１２により上記登録処理がなされ、受信した固有の識別情報、送信先ＩＤ、秘匿情報および送信元ＩＤが関連付けられて記憶部１４のデータベースに登録される。また、別の送信者の送信側端末２０から固有の識別情報、送信先ＩＤ、秘匿情報および送信元ＩＤが受信されても、この受信データも同様に関連付けられて記憶部１４のデータベースに登録される。
【００７４】
また、サーバ１１では、制御部１２にて行われる登録情報送信処理がなされることで、受信側端末３０から受信者のユーザＩＤとともに受信したコード画像データに含まれる情報コードＣのデコードが成功し（Ｓ３０３でＹｅｓ）、受信したユーザＩＤとデコードにより取得した固有の識別情報とに一致する送信先ＩＤと固有の識別情報が関連して記憶部１４のデータベースに登録されていることから伝達許可状態であると判定されると（Ｓ３０７，Ｓ３１１でＹｅｓ）、ステップＳ３１３に示す送信処理がなされる。本実施形態における送信処理では、上記一致する送信先ＩＤおよび固有の識別情報に関連付けられる複数組の秘匿情報および送信元ＩＤの全てが、その受信側端末３０に対して送信される。
【００７５】
次に、寄せ書き（表示媒体Ｍ）を受け取った受信者が受信側端末３０を用いて情報コードＣを撮像した際に、制御部３１にて行われる秘匿情報受信処理について説明する。
上記第１実施形態と同様に、コード画像データおよび受信者のユーザＩＤがサーバ１１に送信されると、複数組の秘匿情報および送信元ＩＤが受信されて（Ｓ２０５でＹｅｓ）、ステップＳ２０７に示す秘匿情報表示処理がなされる。
【００７６】
本実施形態における秘匿情報表示処理では、表示部３３に、複数の秘匿情報を受信したこと示す情報が表示されるととともに、送信元ＩＤが選択可能に表示される。そして、いずれかの送信元ＩＤが選択されることで、その選択された送信元ＩＤに対応する秘匿情報が表示部３３に表示される。これにより、受信者は、その寄せ書きの情報コードＣを撮像することで、その情報コードＣを用いてサーバ１１に登録された全ての秘匿情報を見ることができる。
【００７７】
以上説明したように、本実施形態に係る情報伝達システム１０では、送信側端末２０にて、固有の識別情報、送信先ＩＤおよび秘匿情報に加えて送信元ＩＤがサーバ１１に送信される。そして、サーバ１１にて、伝達許可状態であると判定されると、受信したユーザＩＤに対応する送信先ＩＤに関連付けられて記憶部１４に記憶される全ての秘匿情報が、関連する送信元ＩＤとともに受信側端末３０に送信される。
【００７８】
このため、１つの情報コードＣを利用して複数の送信者（送信元）が送信側端末２０を用いて個別に秘匿情報をサーバ１１に記憶する場合でも、受信者（送信先）では、全ての秘匿情報を受信することができる。これにより、１つの情報コードＣを利用して複数の送信元が１人の送信先に対してそれぞれ秘匿情報を伝達することができる。特に、送信元ＩＤも送信されるため、受信者は、どの送信元がどの情報を伝達しているかを容易に把握することができる。さらに、寄せ書きなどの表示媒体Ｍを多数人で回覧する場合でも、オリジナルメッセージ等の秘匿情報を第三者に対して秘匿することができる。
【００７９】
なお、上記送信処理では、受信側端末３０に対して、一致する送信先ＩＤおよび固有の識別情報に関連付けられる複数組の秘匿情報および送信元ＩＤの全てが送信されることに限らず、日時条件などの送信に関する制約条件等を設けることで、一致する送信先ＩＤおよび固有の識別情報に関連付けられる複数組の秘匿情報および送信元ＩＤの一部が送信されてもよい。
【００８０】
［第５実施形態］
次に、本発明の第５実施形態に係る情報伝達システムについて、図９を用いて説明する。なお、図９は、第５実施形態において受信側端末３０の制御部３１にて行われる秘匿情報受信処理の流れを例示するフローチャートである。
本第５実施形態では、既読の秘匿情報をサーバ１１から消去する点が主に上記第１実施形態と異なる。このため、第１実施形態と実質的に同様の構成部分には同一符号を付して説明を省略する。
【００８１】
本実施形態において受信側端末３０の制御部３１にて実施される秘匿情報受信処理では、表示した秘匿情報を読んだ受信者の指示（要求）に応じて、その秘匿情報がサーバ１１の記憶部１４から消去される。これにより、秘匿情報の秘匿性をさらに向上させるだけでなく、その表示媒体Ｍの情報コードＣを再利用して他の秘匿情報を伝達することができる。
【００８２】
以下、本実施形態における秘匿情報受信処理について、図９のフローチャートを参照して説明する。
受信側端末３０において、上記第１実施形態と同様に、コード画像データおよび受信者のユーザＩＤをサーバ１１に送信することで秘匿情報が受信されると（図９のＳ２０５でＹｅｓ）、ステップＳ２０７に示す秘匿情報表示処理がなされ、秘匿情報が表示部３３に表示される。
【００８３】
次に、ステップＳ２１１に示す判定処理にて、秘匿情報を消去する指示がなされたか否かについて判定され、操作部２４の操作に応じて秘匿情報を消去する指示がなされると（Ｓ２１１でＹｅｓ）、ステップＳ２１３に示す消去指示送信処理がなされる。この処理では、受信した秘匿情報を消去する消去指示が受信者のユーザＩＤおよび秘匿情報とともにサーバ１１に対して送信される。
【００８４】
サーバ１１では、受信側端末３０から上記消去指示が受信者のユーザＩＤおよび秘匿情報とともに受信されると、制御部１２によりこの秘匿情報に関連する情報が記憶部１４のデータベースから消去される。なお、消去指示に応じて記憶部１４に記憶されている関連情報を消去する処理を行う制御部１２は、「消去手段」の一例に相当し得る。
【００８５】
これにより、秘匿情報の表示処理を終えたことで不要となった秘匿情報を受信側端末３０からの消去指示に応じて記憶部１４から消去できるので、秘匿情報等の秘匿性を向上させ、第三者への情報漏洩を確実に防止することができる。
【００８６】
なお、受信側端末３０では、秘匿情報を消去する指示を受信者に求めることなく、上記秘匿情報表示処理（Ｓ２０７）の後に表示完了などを示す既読通知を受信者のユーザＩＤおよび秘匿情報とともにサーバ１１に対して送信してもよい。この場合、サーバ１１では、受信側端末３０からの上記既読通知の受信に応じて、この秘匿情報に関連する情報が記憶部１４のデータベースから消去される。このように受信者の要望にかかわらず既読の秘匿情報を記憶部１４のデータベースから強制的に消去してもよい。
【００８７】
なお、既読の秘匿情報をサーバ１１から消去可能な本実施形態の特徴的構成は、他の実施形態にも適用することができる。
【００８８】
［他の実施形態］
なお、本発明は上記各実施形態および変形例に限定されるものではなく、例えば、以下のように具体化してもよい。
（１）情報伝達用の表示媒体Ｍに表示される情報コードＣは、一部非公開コードとして構成されることに限らず、暗号化キーを有しない一般の情報コード読取装置でも読み取り可能なコードとして構成されてもよい。この場合、情報コードＣは、固有の識別情報のみをコード化するか、固定メッセージに固有の識別情報を加えるようにコード化して構成される。この場合には、サーバ１１に対して送信側端末２０によりコード画像データが送信されることなく直接固有の識別情報を送信先ＩＤおよび秘匿情報とともに送信することができる。また、サーバ１１に対して受信側端末３０により直接固有の識別情報を受信者のユーザＩＤとともに送信することができる。そして、サーバ１１により、記憶部１４に記憶される送信先ＩＤに一致するユーザＩＤが対応する固有の識別情報とともに受信された場合に、その受信側端末３０に対して対応する秘匿情報が送信される。このように情報コードＣが構成される場合でも、第三者には固有の識別情報が読み取られるだけで秘匿情報が表示されることもないので、秘匿情報の秘匿性を確保することができる。
【００８９】
（２）受信側端末３０の制御部２１にて実施される秘匿情報受信処理では、上記ステップＳ２０７に示す秘匿情報表示処理に代えて、例えば、受信した秘匿情報を起動用のパスワードとして他のプログラムを起動させるなど、受信した秘匿情報に基づく制御を行ってもよい。
【符号の説明】
【００９０】
１０…情報伝達システム
１１…サーバ
１２…制御部（判定手段，消去手段）
１４…記憶部（記憶手段）
１６…通信部（サーバ側送信手段）
２０…送信側端末
２１…制御部（選択手段，入力手段）
２２…撮像部（送信側撮像手段）
２４…操作部（選択手段，入力手段）
２６…通信部（送信側送信手段）
３０…受信側端末
３１…制御部（制御手段）
３２…撮像部（受信側撮像手段）
３３…表示部（制御手段）
３６…通信部（受信側送信手段）
【図１】
0006384299.tif 000002
【図２】
0006384299.tif 000003
【図３】
0006384299.tif 000004
【図４】
0006384299.tif 000005
【図５】
0006384299.tif 000006
【図６】
0006384299.tif 000007
【図７】
0006384299.tif 000008
【図８】
0006384299.tif 000009
【図９】
0006384299.tif 000010